(57)【要約】【課題】ユーザの生活パターン等に応じて経済的な運転が可能な給湯装置を提供する。【解決手段】貯湯タンク３内の全量を沸き上げる全量沸き上げ運転を行い、１日の必要湯熱量に対して不足する場合にはその不足分の追い焚き運転を行う給湯装置ある。自動運転モードと、手動運転モードとの切換えが可能である。手動運転モードにおいて、１回限りの追い焚き運転時間、又は所定期間における毎日の追い焚き運転時間のいずれか一つを選択して指定することが可能である。【選択図】　　図１
2004132628.tif 000002
【特許請求の範囲】
【請求項１】
貯湯タンク（３）内の全量を沸き上げる全量沸上運転を行い、１日の必要湯熱量に対して不足する場合にはその不足分の追い焚き運転を行う給湯装置であって、自動運転モードと、手動運転モードとの切換えを可能とすると共に、上記手動運転モードにおいて、１回限りの追い焚き運転時間、又は所定期間における毎日の追い焚き運転時間のいずれかを選択して指定することが可能であることを特徴とする給湯装置。
【請求項２】
指定した上記追い焚き運転時間は、深夜時間帯内のみのであることを特徴とする請求項１の給湯装置。
【請求項３】
指定した上記追い焚き運転時間は、昼間の一定時間であることを特徴とする請求項１の給湯装置。
【請求項４】
指定した上記追い焚き運転時間は、運転操作時点から一定時間であること特徴とする請求項１の給湯装置。
【請求項５】
指定した上記追い焚き運転時間は、運転開始時刻と運転終了時刻とを設定し、この運転開始時刻からの運転終了時刻までの運転時間であることを特徴とする請求項１の給湯装置。
【請求項６】
指定した上記追い焚き運転時間は、運転操作時点から所定湯熱量分が沸き上がるまでであることを特徴とする請求項１の給湯装置。
【発明の詳細な説明】
【０００１】
【発明の属する技術分野】
この発明は、加熱源にて加熱される温湯を貯める貯湯タンクを有する給湯装置に関するものである。
【０００２】
【従来の技術】
給湯装置には、例えば、図６に示すようなヒートポンプ式給湯装置がある。このヒートポンプ式給湯装置は、貯湯タンク７０を有するタンクユニット７１と、冷媒回路７２を有する熱源ユニット７３とを備える。また、冷媒回路７２は、圧縮機７４と水熱交換器７５と膨張弁７７と蒸発器７８とを順に接続して構成される。そして、タンクユニット７１は、上記貯湯タンク７０と循環路７９とを備え、この循環路７９には、水循環用ポンプ８０と熱交換路８１とが介設されている。この場合、熱交換路８１は水熱交換器７５にて構成される。
【０００３】
上記装置においては、圧縮機７４を駆動させると共に、ポンプ８０を駆動（作動）させると、貯湯タンク７０の底部に設けた取水口から貯溜水（温湯）が循環路７９に流出し、これが熱交換路８１を流通する。そのときこの温湯は水熱交換器７５によって加熱され（沸き上げられ）、湯入口から貯湯タンク７０の上部に返流される。これによって、貯湯タンク７０に高温の温湯を貯めるものである。そして、現状の電力料金制度は深夜の電力料金単価が昼間に比べて安価に設定されているので、近年では、この運転は低額である深夜時間帯（例えば、２３時から７時までの時間帯）に行い、ランニングコストの低減を図るようにする場合が多くなっている。
【０００４】
この場合、一日の必要湯熱量が少ない場合には、深夜時間帯の全量沸上運転（貯湯タンク内の全量を沸き上げる運転）のみで必要湯熱量を沸き上げることができるが、必要湯熱量が多い場合には、この深夜時間帯の運転に加えて、昼間の追加運転（追加追い焚き運転）を行っていた。すなわち、従来では、全量沸上運転を上記深夜時間帯が終了する午前７時に終了し、不足がある場合に、この不足分を、昼間（電力料金単価が高額に設定されている時間帯）において追い焚き運転で沸き上げていた（例えば、特許文献１参照。）。
【０００５】
【特許文献１】
特開２００１−２６３８０３号公報（第４−５頁、図１）
【発明が解決しようとする課題】
しかしながら、上記特許文献１に記載のヒートポンプ式給湯装置では、給湯負荷を考慮した追焚き制御を行って、貯湯タンク内の湯がなくなる「湯切れ」を防止するものであるが、ユーザ等は追い焚き運転時間帯の把握が困難であり、ユーザの湯の使用パターン（生活パターン）と電力料金体系とを考慮した経済的な運転ができず、コスト（ランニングコスト）高となっていた。また、不足分の判定が湯使用量が多い週末等であれば、次回においては湯使用量が少なく、昼間の追い焚き運転を省略でき、または省略できないまでも短時間でよいことになる。しかしながら、不足分の判定は残湯熱量に基づいて行うので、この多い湯使用量に基づいて次回の追い焚き運転を行うことになる。そのため、高額料金運転となる昼間における無駄な追い焚き運転を長時間行うことになって、コスト高を招いていた。
【０００６】
この発明は、上記従来の欠点を解決するためになされたものであって、その目的は、ユーザの生活パターン等に応じて経済的な運転が可能な給湯装置を提供することにある。
【０００７】
【課題を解決するための手段】
そこで請求項１の給湯装置は、貯湯タンク３内の全量を沸き上げる全量沸上運転を行い、１日の必要湯熱量に対して不足する場合にはその不足分の追い焚き運転を行う給湯装置であって、自動運転モードと、手動運転モードとの切換えを可能とすると共に、上記手動運転モードにおいて、１回限りの追い焚き運転時間、又は所定期間における毎日の追い焚き運転時間のいずれかを選択して指定することが可能であることを特徴としている。
【０００８】
請求項１の給湯装置では、１回限りの追い焚き運転時間を指定した場合、その指定した運転が１回だけ行われる。また、所定期間における毎日の追い焚き運転時間を指定した場合、その設定した運転時間での運転が所定期間継続することになり、短期（例えば、２、３日）又は長期（例えば、１週間）の間同じ時間帯での運転が行われる。
【０００９】
請求項２の給湯装置は、指定した上記追い焚き運転時間は、深夜時間帯内のみのであることを特徴としている。
【００１０】
上記請求項２の給湯装置では、深夜時間帯内のみの追い焚き運転を指定することができ、昼間の運転を回避することができる。
【００１１】
請求項３の給湯装置は、指定した上記追い焚き運転時間は、昼間の一定時間であることを特徴としている。
【００１２】
上記請求項３の給湯装置では、昼間の一定時間のみの追い焚き運転を指定することができ、昼間での追い焚き運転であってもこの運転時間をユーザ等は把握することができる。
【００１３】
請求項４の給湯装置は、指定した上記追い焚き運転時間は、運転操作時点から一定時間であることを特徴としている。
【００１４】
上記請求項４の給湯装置では、操作したユーザ等が指定した時間において追い焚き運転が行われ、操作したユーザ等は運転が行われている時間帯を把握することができる。しかも、不足が生じたとき、または不足が生じるであろうと思われるときに、この運転操作を行えば、この時点から運転が開始され、その後一定時間経過したときに運転が停止して、確実に不足分を補充することができる。
【００１５】
請求項５の給湯装置は、指定した上記追い焚き運転時間は、運転開始時刻と運転終了時刻とを設定し、この運転開始時刻からの運転終了時刻までの運転時間であることを特徴としている。
【００１６】
上記請求項５の給湯装置では、ユーザ等が運転開始時刻と運転終了時刻を設定することができるので、追い焚き運転の運転時間帯をユーザ等の希望により任意に設定できる。
【００１７】
請求項６の給湯装置は、指定した上記追い焚き運転時間は、運転操作時点から所定湯熱量分が沸き上がるまでであることを特徴としている。
【００１８】
上記請求項６の給湯装置では、運転操作時点から所定湯熱量分が沸き上がるまでの追い焚き運転を行うことができるので、不足分を確実に補充することができる。
【００１９】
【発明の実施の形態】
次に、この発明の給湯装置の具体的な実施の形態について、図面を参照しつつ詳細に説明する。図１はこの給湯装置（この場合ヒートポンプ式給湯装置）の簡略図を示し、この給湯装置は、タンクユニット１とヒートポンプユニット（熱源ユニット）２を備え、タンクユニット１の水（温湯）をヒートポンプユニット２にて加熱するものである。このタンクユニット１は貯湯タンク３を備え、この貯湯タンク３に貯湯された温湯が図示省略の浴槽等に供給される。すなわち、貯湯タンク３には、その底壁に給水口５が設けられると共に、その上壁に出湯口６が設けられている。そして、給水口５から貯湯タンク３に市水が供給され、出湯口６から高温の温湯が出湯される。また、貯湯タンク３には、その底壁に取水口１０が開設されると共に、側壁（周壁）の上部に湯入口１１が開設され、取水口１０と湯入口１１とが循環路１２にて連結されている。そして、この循環路１２に水循環用ポンプ１３と熱交換路１４とが介設されている。なお、給水口５には給水用流路８が接続されている。
【００２０】
ところで、貯湯タンク３には、上下方向に所定ピッチで少なくとも４個の残湯量検出器（温度センサ）１８ａ、１８ｂ、１８ｃ、１８ｄが設けられている。上記各温度センサ１８ａ・・は、例えば、それぞれサーミスタからなる。また、上記循環路１２には、熱交換路１４の入口側に取水サーミスタ２０が設けられると共に、熱交換路１４の出口側に出湯サーミスタ２１が設けられている。
【００２１】
次に、ヒートポンプユニット（熱源ユニット）２は冷媒回路を備え、この冷媒回路は、圧縮機２５と、熱交換路１４を構成する水熱交換器２６と、減圧機構（膨張弁）２７と、空気熱交換器２８とを順に接続して構成される。すなわち、圧縮機２５と水熱交換器２６と冷媒通路２９にて接続し、水熱交換器２６と減圧機構２７とを冷媒通路３０にて接続し、減圧機構２７と空気熱交換器２８とを冷媒通路３１にて接続し、空気熱交換器２８と圧縮機２５とをアキュームレータ３２が介設された冷媒通路３３にて接続している。これにより、圧縮機２５が駆動すると、水熱交換器２６において熱交換路１４を流れる水が加熱されることになる。なお、この冷媒回路の冷媒には、例えば、自然系冷媒として炭酸ガス等の超臨界冷媒を用いることができる。また、空気熱交換器２８にはこの空気熱交換器２８の能力を調整するファン３４が付設されている。
【００２２】
ところで、この給湯装置の制御部は、図３に示すように、切換手段３６と、残湯量検出手段３７と、この切換手段３６からに切換指令と検出手段３７からのデータ（数値）とが入力される制御手段３８とを備える。すなわち、図１に示すように、残湯量検出手段３７は、貯湯タンク３に付設された残湯量検出器１８ａ、１８ｂ、１８ｃ、１８ｄにて構成することができる。そして、残湯量検出器１８ａの温度（タンク温度Ｔ１）、残湯量検出器１８ｂの温度（タンク温度Ｔ２）、残湯量検出器１８ｃの温度（タンク温度Ｔ３）、残湯量検出器１８ｄの温度（タンク温度Ｔ４）、取水サーミスタ２０の温度（入水温度Ｔ６）等が制御手段（コントローラ）３８に入力され、これらのデータに基づいて、水循環用ポンプ１３と圧縮機２５とを駆動して、後述するような運転が行われる。また、上記切換手段３６は、後述する自動運転モードと手動運転モードとの切換え等を行うことができる。なお、上記制御手段３８は例えばマイクロコンピュータを用いて構成することができる。
【００２３】
上記のように構成された給湯装置によれば、圧縮機２５を駆動させると共に、水循環用ポンプ１３を駆動（作動）させると、貯湯タンク３の底部に設けた取水口１０から貯溜水（温湯）が流出し、これが循環路１２の熱交換路１４を流通する。そのときこの温湯は水熱交換器２６によって加熱され（沸き上げられ）、湯入口１１から貯湯タンク３の上部に返流される。このような動作を継続して行うことによって、貯湯タンク３に高温の温湯を貯湯することができる。
【００２４】
この場合、貯湯タンク３内の全量を沸き上げる全量沸上運転を深夜時間（２３時から次の日の午前７時）帯において行う。これは、現在の電力料金制度において、深夜の電力料金単価が昼間に比べて安価に設定されているからである。また、一日の必要湯量がこの貯湯タンク３の容量を越える場合には、深夜時間の運転を行った後、さらに深夜時間外の昼間において追い焚き運転を行って、その一日の必要湯量を確保する。
【００２５】
実際には、貯湯タンク３の湯量レベルに基づいて、図３に示すように、例えば、深夜時間帯の午前１時から運転を行って、深夜時間帯が終了する午前７時にこの全量沸上運転を終わるようにしている。すなわち、全量沸上運転では、午前７時に沸き上げる制御（通電制御）を行っている。なお、貯湯タンク３の湯量レベルは、上記残湯量検出手段３７にて検出することができる。
【００２６】
そして、上記追い焚き運転は、例えば図４のフローチャートに従って行うことができる。まず、ステップＳ１で、第４残湯量検出器１８ｄの温度（Ｔ４）が所定温度（例えば、４５℃）未満か否かを判断する。そして、Ｔ４が４５℃以上であれば、貯湯タンク３の下部まで、４５℃以上の温湯が存在することになるので、追い焚き運転を行う必要がなく、そのままの状態を維持する。Ｔ４が４５℃未満であれば、温湯が使用された結果、貯湯タンク３内の残湯量が減少し、この貯湯タンク３の下部には低温の温湯が存在することになって、追い焚き運転を行うことができ、ステップＳ２へ移行して追い焚き運転を開始する。
【００２７】
次に、ステップＳ３へ移行して、このステップＳ３で追い焚き運転を終了するか否かの判断を行う。すなわち、このステップＳ５で、Ｔ４≧６０℃か否かの判断を行う。そして、Ｔ４が６０℃以上であれば、この追い焚き運転を終了する。また、Ｔ４が６０℃未満であれば、追い焚き運転を継続する。すなわち、Ｔ４が６０℃以上であれば、所定量の湯が沸き上げられたことになり、追い焚き運転を終了するものである。なお、追い焚き運転開始から所定時間（例えば、３０分）経過後にこの追い焚き運転を終了するようにしてもよい。
【００２８】
ところで、上記全量沸上運転及び追い焚き運転は自動運転モードを選定することによって行われることになる。しかしながら、この自動運転モードでは、図３に示すように、全量沸上運転の開始が例えば午前１時となって、２３時から午前１時まで運転を行わない場合があった。このような場合であっても、追い焚き運転を、電力料金単価が低額である２３時から午前１時までは運転を行わず、電力料金単価が高額である昼間に行うことになって、コスト高となっていた。
【００２９】
そこで、この装置では、上記自動運転モードに加えて手動運転モードでの運転を可能としている。そして、手動運転モードでは、上記自動運転モードの制御に影響を受けることなく、ユーザ等が運転開始時刻等を設定することができ、この際、１回限りの追い焚き運転時間、又は所定期間における毎日の追い焚き運転時間のいずれかを選択して指定することが可能であり、これらの運転では、上記図４のフローチャートに従った追い焚き運転を行わない。また、手動運転モードとして、このようにユーザ等が運転時間を任意に指定する運転モードと、予め設定されたコースに基づく運転モードとを備えるようにするも好ましい。すなわち、この予め設定されたコースとして、例えば、図５に示すように、「連続」、「多め」、「標準」、「少なめ」等を設け、これらのコースをユーザ等が指定するようにすることができる。この場合、「連続」を昼間も深夜も追い焚きするコースとし、「多め」を昼間追い焚き運転２時間コースとし、「標準」及び「少なめ」を昼間追い焚き運転なしコースとしたりすることができる。そして、「標準」と「少なめ」とは全量沸上時の湯熱量（具体的には、沸上温度）が相違するように設定できる。なお、この予め設定されたコースの運転では選択したコースに沿った運転となり、ユーザ等はこの追い焚き運転時間帯を把握することができない。
【００３０】
ところで、上記１回限りの追い焚き運転時間に指定とは、例えば、表１のように、深夜連続の追い焚き運転時間の指定、昼間２時間の追い焚き運転時間の指定、又は昼間１時間の追い焚き運転時間の指定である。ここで、深夜連続とはその日の２３時から翌日の午前７までの運転であり、昼間２時間とは操作（運転操作時点）から２時間の強制運転であり、昼間１時間とは操作（運転操作時点）から１時間の強制運転である。また、運転操作時点とは操作用リモコンＲ（図５参照）を操作した時点であり、その操作した時点から図示省略のカウンタにより時間がカウントされ、その指定された時間経過後にその運転を停止することになる。
【００３１】
【表１】
2004132628.tif 000003
【００３２】
リモコンＲは、例えば台所や浴室に壁に装着され、図５に示すように、液晶画面等からなる表示画面４０が設けられ、この表示画面４０に、給湯温度を表示する温度表示部４１と、貯湯タンク３の残湯量を表示する残湯量表示部４２と、設定湯量（貯湯タンクの沸上量を決定する湯量レベル）を表示ための湯量レベル表示部４３と、時刻表示部４４等が設けられている。また、運転設定ボタン４５として、切換操作ボタン４５ａと、ふろ自動ボタン４５ｂ、メニューボタン４５ｃ、確定ボタン４５ｄ、下降ボタン４５ｅ、上昇ボタン４５ｆ等が設けられている。
【００３３】
例えば、１回限りの運転の深夜連続の指定を行う場合、上記切換操作ボタン４５ａ（自動運転モードと手動運転モードとの切換操作を行う操作ボタン）を操作して手動運転モードに切換えて、メニューボタン４５ｃを押して、「１回限りの運転」を選択して、確定ボタン４５ｄを押し、さらに、下降ボタン４５ｅ、又は上昇ボタン４５ｆを操作して、上記記深夜連続等を指定して確定ボタン４５ｄを押せばよい。すなわち、このリモコンＲを操作することによって、上記図２に示す制御部の切換手段３６が切換って、この切換手段３６から制御手段３８にこの指定が入力され、この指定に基づいて、圧縮機２５と水循環用ポンプ１３とに運転・停止指令が発信されることになる。
【００３４】
このように、１回限りの運転を指定すれば、その指定に従って運転され、ユーザの指定する時間帯の運転が可能となる。すなわち、「深夜連続」を指定すれば、深夜時間帯のみの運転となって、昼間の運転を回避することができ、また、「昼間２時間」を指定すれば、その操作したときから２時間の運転となって、さらに、「昼間１時間」を指定すれば、その操作したときから１時間の運転となって、ユーザ等が指定した運転を行わせることができる。なお、この「昼間２時間」と「昼間１時間」においては、操作してから２時間又は１時間の運転であり、しかも操作もユーザが任意時間に行うことができるので、その操作した時刻によっては、深夜のみの運転になったり、昼間のみの運転になったり、深夜から昼間にわたる運転となったり、昼間から深夜にわたる運転になったりする。なお、この１回限りの運転（追い焚き運転）では時間の指定であるので、湯沸上量に関係なくその指定した時間が経過した時にこの運転が停止する。
【００３５】
また、所定期間における毎日の追い焚き運転時間の指定とは、表２のコースの指定である。コースの指定には、深夜連続コースと、昼間１時間コースと、昼間２時間コース等がある。ここで、深夜連続コースとは、指定した期間（例えば、１週間等）において深夜のみの毎日の運転コースであり、昼間１時間コースとは、指定した期間（例えば、１週間等）において昼間の１時間の毎日の運転コースであり、昼間２時間コースとは、指定した期間（例えば、１週間等）において昼間の２時間の毎日の運転コースである。この場合も、リモコンＲを操作することによって、各種のコースを選択して、このコースに基づく運転を行わせることができる。なお、これらのコースにおいては、上記図示省略のカウンタにて積算（累積）運転時間が積算され、この積算（累積）運転時間に基づいて毎日の運転が終了する。つまり、昼間の追い焚き運転として、連続運転であっても、非連続運転であってもよい。
【００３６】
【表２】
2004132628.tif 000004
【００３７】
さらに、追い焚き運転の指定には、表３の強制追い焚き運転時間の指定があり、この指定には、運転開始と運転終了との時刻の設定と、ユーザが操作した時点から運転開始の設定▲１▼▲２▼▲３▼等がある。この場合も、リモコンＲを操作することによって、各種の指定を選択して、この指定に基づく運転を行わせることができる。
【００３８】
【表３】
2004132628.tif 000005
【００３９】
運転開始と運転終了との時刻の設定では、運転開始時刻と運転終了時刻を指定でき、この指定した時刻から追い焚き運転を開始して、指定した時刻でこの追い焚き運転を終了させるものである。この際、湯を多く使う時間帯を考慮して時刻を設定することができる。また、上記▲１▼の運転開始の設定では、終了を開始から設定された一定（所定）時間（例えば１時間）経過後とすることができ、この一定時間としては予め任意に設定することができる。上記▲２▼の運転開始の設定では、終了を設定された所定の積算（累積）運転時間（例えば２時間）後とすることができ、この積算運転時間としては予め任意に設定することができる。上記▲３▼の運転開始の設定では、終了を運転時間に関係なく所定温度（例えば、８０℃）の湯が所定量分だけ沸き上がった時点とする。所定量分沸き上げを行う場合、貯湯タンク３に付設された残量検出手段３７を使用して沸き上げることができる。また、この所定量としては、例えば、５０リットル、１００リットル、１５０リットル等のように任意に設定することができる。
【００４０】
上記給湯装置によれば、ユーザ等が指定した各種の時間帯で運転を行わせることができ、特に、深夜時間帯のみの追い焚き運転を指定すれば、現状の電力料金制度において電力料金単価が高価に設定されている昼間における運転等を回避することができ、ランニングコストの低減を達成できる。また、運転操作時点から一定時間だけ運転するように指定すれば、不足が生じたとき、または不足が生じるであろうと思われるときに、この運転操作を行えば、この時点から運転が開始され、その後一定時間経過したときに運転が停止して、確実に不足分を補充することができる。これにより、無駄な追加の追い焚き運転を回避することができる。さらに、所定期間における毎日の追い焚き運転時間を指定した場合、その設定した運転時間での運転が所定期間継続することになり、短期（例えば、２、３日）又は長期（例えば、１週間）の間同じ時間帯での運転が行われる。このため、この指定した期間においては、追い焚き運転の指定を行う必要がなく、安定した追い焚き運転が行われる。また、追い焚き運転の終了時を、所定湯熱量分が沸き上がった時点とすれば、不足分を確実に補充することができる。このため、貯湯タンク３の湯が無くなる「湯切れ」現象を回避することができ、ユーザは安心して湯を使用することができる。なお、昼間の一定時間のみの追い焚き運転を指定した場合、その運転時間を把握することができるので、電気料金を推定することができ、安心した運転が可能である。
【００４１】
以上にこの発明の具体的な実施の形態について説明したが、この発明は上記形態に限定されるものではなく、この発明の範囲内で種々変更して実施することができる。例えば、運転操作時点から一定時間としては、１時間や２時間に限るものではなく、ユーザ等が任意に設定できる。また、設定した運転時間帯の毎日の継続運転での所定期間としては、２、３日であっても、１週間であっても、１ヶ月、さらには数ヶ月等であってもよく、ユーザ等が季節等に応じて任意に設定することができる。さらに、切換操作を行うためのリモコンＲとしては、ユーザ等が自由に持ち歩きすることができるものであってもよい。
【００４２】
また、給湯装置として、上記実施の形態のように、ヒートポンプ式給湯装置を使用した場合、冷媒回路の冷媒として炭酸ガスを用いるのが好ましいが、その他、ジクロロジフルオロメタン（Ｒ−１２）やクロロジフルオロメタン（Ｒ−２２）のような冷媒であっても、オゾン層の破壊、環境汚染等の問題から、１，１，１，２−テトラフルオロエタン（Ｒ−１３４ａ）のような代替冷媒であってもよい。また、給湯装置としては、電気式給湯装置やガス式給湯装置であってもよい。
【００４３】
【発明の効果】
請求項１の給湯装置によれば、１回限りの追い焚き運転時間を指定した場合、その指定した運転が１回だけ行われる。また、所定期間における毎日の追い焚き運転時間を指定した場合、その設定した運転時間での運転が所定期間継続することになり、短期（例えば、２、３日）又は長期（例えば、１週間）の間同じ時間帯での運転が行われ、このため、この指定した期間においては、追い焚き運転の指定を行う必要がなく、安定した追い焚き運転が行われる。このように、この給湯装置では、ユーザ等が指定した運転を行わせることができ、ユーザが把握しない時間帯での運転をなくすことができ、ユーザの生活パターン等に応じて経済的な運転が可能である。
【００４４】
請求項２の給湯装置によれば、深夜時間帯内のみの追い焚き運転を指定することができ、昼間の運転を回避することができる。すなわち、現状の電力料金制度において電力料金単価が高価に設定されている昼間における運転を回避することができ、ランニングコストの低減を達成できる。
【００４５】
請求項３の給湯装置によれば、昼間の一定時間のみの追い焚き運転を指定することができ、昼間での追い焚き運転であってもこの運転時間をユーザ等は把握することができる。これにより、電気料金等を推定することができ、安心してこの給湯装置を駆動させることができる。
【００４６】
請求項４の給湯装置によれば、操作したユーザ等が指定した時間において追い焚き運転が行われ、操作したユーザ等は運転が行われている時間帯を把握することができる。しかも、不足が生じたとき、または不足が生じるであろうと思われるときに、この運転操作を行えば、この時点から運転が開始され、その後一定時間経過したときに運転が停止して、確実に不足分を補充することができる。これにより、無駄な追加の追い焚き運転を回避することができ、ランニングコストの低減に大きく寄与する。
【００４７】
請求項５の給湯装置によれば、ユーザ等が運転開始時刻と運転終了時刻を設定することができるので、追い焚き運転の運転時間帯をユーザ等の希望により任意に設定できる。すなわち、ユーザが希望する時間帯のみの追い焚き運転が可能となって、使い勝手がよい。
【００４８】
請求項６の給湯装置によれば、運転操作時点から所定湯熱量分が沸き上がるまでの追い焚き運転を行うことができるので、不足分を確実に補充することができる。このため、この不足分の補充によって、貯湯タンクの湯が無くなる「湯切れ」現象を回避することができ、ユーザは安心して湯を使用することができる。
【図面の簡単な説明】
【図１】この発明の給湯装置の実施形態を示す簡略図である。
【図２】上記給湯装置の制御部の簡略ブロック図である。
【図３】上記給湯装置の全量沸上運転の時間帯を示すグラフ図である。
【図４】上記給湯装置の追い焚き運転を示すフローチャート図である。
【図５】上記給湯装置のリモコンの正面図である。
【図６】従来の給湯装置の簡略図である。
【符号の説明】
３　貯湯タンク
【図１】
2004132628.tif 000006
【図２】
2004132628.tif 000007
【図３】
2004132628.tif 000008
【図４】
2004132628.tif 000009
【図５】
2004132628.tif 000010
【図６】
2004132628.tif 000011